(57)【特許請求の範囲】
【請求項１】
弁棒の動作に伴って流路を開閉するバルブに装備される、開閉表示装置であって、
前記弁棒に連動する連動部材と、
前記連動部材を囲む位置に配された回転体と、
前記連動部材の外周面に形成された螺旋溝と、
前記螺旋溝に一部が嵌まり込むように配置された球体と、
前記球体を前記螺旋溝との間で保持するように、前記回転体に設けられた球体保持部と、を備え、
前記回転体は、前記連動部材の動作に伴って、前記球体を介して回転するように構成されている、
開閉表示装置。
【請求項２】
弁棒の動作に伴って流路を開閉するバルブに装備される、開閉表示装置であって、
前記弁棒に連動する連動部材と、
前記連動部材を囲む位置に配された回転体と、
前記回転体の内周面に形成された螺旋溝と、
前記螺旋溝に一部が嵌まり込むように配置された球体と、
前記球体を前記螺旋溝との間で保持するように、前記連動部材に設けられた球体保持部と、を備え、
前記回転体は、前記連動部材の動作に伴って、前記球体を介して回転するように構成されている、
開閉表示装置。
【請求項３】
前記球体保持部は、前記球体を前記螺旋溝に向けて押し付ける弾性部材を有する、
請求項１または２の開閉表示装置。
【請求項４】
前記回転体を覆う位置にあり、かつ前記回転体の一部を視認するための覗き窓を有するカバーを、更に備え、
前記回転体は、前記バルブの開閉状態を表示する開閉表示部を有し、
前記開閉表示部は、前記回転体の回転位置に対応して、前記覗き窓を通じて視認可能な領域が切り替わるように構成されている、
請求項１から３いずれか一項の開閉表示装置。
【請求項５】
請求項１から４のいずれか一項の開閉表示装置を備えた、
バルブ。
【発明の詳細な説明】
【技術分野】
【０００１】
本開示は、開閉表示装置とこれを備えたバルブに関する。
【背景技術】
【０００２】
特許文献１には、開閉表示装置付きのバルブが開示されている。この開閉表示装置開閉表示装置付きバルブにおいては、バルブの開閉操作に用いられる回転ハンドルの天面に、覗き窓が設けられており、該覗き窓を通じて、バルブの開閉状態を示す「開」「閉」等の文字が視認可能である。回転ハンドルが所定の開位置にあるときには、該回転ハンドルの覗き窓を通じて「開」の表記が視認され、回転ハンドルが所定の閉位置にあるときには、該回転ハンドルの覗き窓を通じて「閉」の表記が視認される。
【先行技術文献】
【特許文献】
【０００３】
【特許文献１】特開平７−２８０１３４号公報
【発明の概要】
【発明が解決しようとする課題】
【０００４】
上記した従来の開閉表示装置は、バルブの開閉状態を、回転ハンドルの天面に表示させる構造を備えるので、作業者が回転ハンドルを掴んで回転操作している最中にはバルブの開閉状態を確認しづらい。
【０００５】
本開示は、作業者がバルブの開閉状態を容易に視認することができる開閉表示装置及びこれを備えたバルブを提供することを、目的とする。
【課題を解決するための手段】
【０００６】
本開示の一態様に係る開閉表示装置は、弁棒の動作に伴って流路を開閉するバルブに装備される、開閉表示装置であって、前記弁棒に連動する連動部材と、前記連動部材を囲む位置に配された回転体と、前記連動部材の外周面に形成された螺旋溝と、前記螺旋溝に一部が嵌まり込むように配置された球体と、前記球体を前記螺旋溝との間で保持するように、前記回転体に設けられた球体保持部と、を備える。前記回転体は、前記連動部材の動作に伴って、前記球体を介して回転するように構成されている。
【０００７】
本開示の別態様に係る開閉表示装置は、弁棒の動作に伴って流路を開閉するバルブに装備される、開閉表示装置であって、前記弁棒に連動する連動部材と、前記連動部材を囲む位置に配された回転体と、前記回転体の内周面に形成された螺旋溝と、前記螺旋溝に一部が嵌まり込むように配置された球体と、前記球体を前記螺旋溝との間で保持するように、前記連動部材に設けられた球体保持部と、を備える。前記回転体は、前記連動部材の動作に伴って、前記球体を介して回転するように構成されている。
【０００８】
本開示の一態様に係るバルブは、前記一態様または前記別態様に係る開閉表示装置を備えたものである。
【発明の効果】
【０００９】
本開示は、作業者がバルブの開閉状態を容易に視認することができるという効果を奏する。
【図面の簡単な説明】
【００１０】
【図１】図１は、第１実施形態の開閉表示装置及びバルブの側面図である。
【図２】図２は、同上の開閉表示装置及びバルブの断面図である。
【図３】図３は、同上の開閉表示装置及びバルブの平面図である。
【図４】図４は、第２実施形態の開閉表示装置及びバルブの要部断面図である。
【図５】図５は、第３実施形態の開閉表示装置及びバルブの断面図である。
【図６】図６は、第４実施形態の開閉表示装置及びバルブの要部断面図である。
【発明を実施するための形態】
【００１１】
［第１実施形態］
（バルブの全体構造）
図１−図３には、第１実施形態の開閉表示装置２が装備されたバルブ１を示している。
【００１２】
バルブ１は、エアー駆動式の低温用自動弁である。バルブ１は、長尺の弁棒１１と、弁棒１１の第一端部に連結された弁体１２と、弁体１２が移動自在に収容されたバルブ本体１３とを備える。バルブ本体１３は、その内部に流路１４を有し、弁体１２のスライド移動に伴って流路１４を開閉するように構成されている。
【００１３】
バルブ１は、弁棒１１を軸方向にスライド自在に収容する筒部材１５と、弁棒１１を所定範囲内でスライド移動させる駆動部１６とを、更に備える。本文において用いる軸方向は、弁棒１１の軸方向を意味する。弁棒１１の軸方向のうち、バルブ１を閉弁させるときに弁棒１１や弁体１２が移動する側を「軸方向の閉弁側」と称し、バルブ１を開弁させるときに弁棒１１や弁体１２が移動する側を「軸方向の開弁側」と称する。
【００１４】
筒部材１５の第一端部は、ナット１５１を介してバルブ本体１３に結合されている。筒部材１５の第二端部は、ナット１５２を介して駆動部１６に結合されている。
【００１５】
駆動部１６は、駆動部１６の外郭を構成する円筒型のケース１６１と、ケース１６１内に収容されたピストン１６２と、ピストン１６２を弁棒１１に固定するためのナット１６３と、ピストン１６２を付勢するスプリング１６４と、ケース１６１を外部の構造体に固定するためのブラケット１６５とを備える。
【００１６】
ピストン１６２は、弁棒１１のうちケース１６１内に収容される部分に、ナット１６３を介して一体に固定されている。ピストン１６２は、ケース１６１内に供給されるエアーの動力によって、ケース１６１内において軸方向にスライド動作を行うように構成されている。弁棒１１は、ピストン１６２と一体に軸方向のスライド動作を行う。
【００１７】
スプリング１６４は、ピストン１６２に対して、弁棒１１を軸方向の閉弁側に移動させる付勢力を与えるように、ケース１６１内に配されている。スプリング１６４は、その第一端部がピストン１６２に押し当たり、かつその第二端部がケース１６１の内面に押し当たった圧縮状態で、ケース１６１内に配されている。
【００１８】
（開閉表示装置）
開閉表示装置２は、駆動部１６の頂部に一体に組み付けられている。駆動部１６の頂部は、駆動部１６から弁棒１１及び筒部材１５が突出する側とは反対側の端部である。
【００１９】
開閉表示装置２は、弁棒１１に連動する連動部材７と、連動部材７の一部を囲むように配置された環状の回転体３と、駆動部１６の頂部に回転体３を支持する支持機構８と、連動部材７の外周面に形成された螺旋溝４と、螺旋溝４のうち互いに異なる箇所に嵌るように配された複数の球体５と、回転体３の内周側の部分に設けられた複数の球体保持部６と、回転体３を覆うカバー９とを備える。
【００２０】
以下において、開閉表示装置２が備える各構成について、順に詳述する。
【００２１】
（連動部材）
連動部材７は、弁棒１１の第二端部に固定された棒状の部材であり、大径の基端部分７１を有する。弁棒１１の第二端部は、弁棒１１のうち弁体１２が連結される第一端部とは反対側の端部であり、駆動部１６のケース１６１内に位置する。弁棒１１の第二端部には、ナット状の固定リング２１が固定されている。この固定リング２１と、連動部材７の基端部分７１を押さえるように配置されたリング状の押え部材２２とが、ビス２３で固定されている。
【００２２】
連動部材７は、弁棒１１と同軸上に位置し、弁棒１１と一体に軸方向にスライド移動する。連動部材７の中心軸と弁棒１１の中心軸は一致している。連動部材７のうち軸方向の閉弁側の半部は、駆動部１６のケース１６１内に位置している。連動部材７のうち軸方向の開弁側の半部は、ケース１６１の頂部に設けられた貫通孔１６７を通じて、ケース１６１の外側に突出している。
【００２３】
（回転体）
回転体３は、ケース１６１の頂部に、回転自在に組み付けられている。回転体３は、中心孔３１を有する回転本体３２と、回転本体３２に固定された開閉表示部３５とを有する。中心孔３１は、連動部材７の一部が軸方向にスライド自在に挿入される貫通孔である。開閉表示部３５は、回転本体３２のうち軸方向の開弁側の端部に、回転本体３２を覆うように固定されている。
【００２４】
回転本体３２と開閉表示部３５は、いずれも軸方向に見たときに環状の外形を有する。開閉表示部３５は、軸方向に見たとき回転本体３２よりも一回り大きな外形を有する円盤部３５４と、円盤部３５４の外周縁部から軸方向の閉弁側に延出された円筒状の周壁部３５５とを含む。
【００２５】
図３に示すように、開閉表示部３５の円盤部３５４には、バルブ１の開閉状態を視覚的に示すための表示が設けられている。ここでの表示は、一例として「ＯＰＥＮ」「ＣＬＯＳＥ」の文字であるが、「開」「開」等の他の文字でもよいし、記号、図形、色等の他の表示を用いることも可能である。
【００２６】
（支持機構）
支持機構８は、ケース１６１の頂部に固定された押え部材８１と、押え部材８１と回転本体３２との間に配されたボール８２と、ケース１６１の頂部と回転本体３２の間に配されたボール８３と、ボール８３を回転本体３２に向けて付勢する弾性体８４とを備える。押え部材８１は、回転本体３２と開閉表示部３５との間に位置している。押え部材８１と開閉表示部３５は、外部から視認不能となるように開閉表示部３５で覆われている。
【００２７】
ボール８２は、回転本体３２のうち軸方向の開弁側の端部と、該端部を覆うように位置する押え部材８１との間に、回転自在に配されている。ボール８２は、例えばセラミック製である。ボール８２は、回転本体３２の周方向に距離をあけて複数配されている。
【００２８】
ボール８３は、回転本体３２のうち軸方向の閉弁側の端部と、ケース１６１の頂部との間に、回転自在に配されている。ボール８３は、例えばセラミック製である。ボール８３とこれを付勢する弾性体８４との組は、回転本体３２の周方向に距離をあけて複数組設けられている。
【００２９】
これら複数のボール８２，８３が転動することで、回転本体３２の円滑な回転が実現される。回転本体３２の回転に伴い、開閉表示部３５は、連動部材７の軸まわりに回転本体３２と一体に回転する。
【００３０】
（螺旋溝）
螺旋溝４は、連動部材７の外周面に設けられている。螺旋溝４は、弁棒１１の軸まわりに回転しながら弁棒１１の軸方向に移動する軌跡に沿った、螺旋状の溝である。螺旋溝４は、連動部材７のうち、ケース１６１の外側に突出し得る部分に、設けられている。螺旋溝４の断面形状は、螺旋溝４の各所において半円状である。
【００３１】
（球体）
球体５は、螺旋溝４のうち互いに異なる箇所にそれぞれ嵌るように、複数設けられている。第１実施形態の開閉表示装置２において、螺旋溝４は二重螺旋の溝である。複数の球体５は、螺旋溝４の一つの溝に嵌る第一球体５１と、螺旋溝４のもう一つの溝に嵌る第二球体５２とを含む。第一球体５１と第二球体５２は、連動部材７の軸を中心として互いに線対称の位置にある。第一球体５１と第二球体５２は、例えばともにセラミック製であり、互いに同一の寸法形状を有する。
【００３２】
（球体保持部）
球体保持部６は、複数の球体５のそれぞれを螺旋溝４との間で弾性的に保持するように、回転体３の内周側の複数の部分に設けられている。上記したように、複数の球体５は二つの球体５（つまり第一球体５１及び第二球体５２）であり、複数の球体保持部６は、これら二つの球体５をそれぞれ保持するための二つの球体保持部６である。二つの球体保持部６は、連動部材７の軸を中心として線対称の位置にある。
【００３３】
各球体保持部６は、球体５の半部が嵌るように回転本体３２の内周側の部分に設けられた保持溝６１と、保持溝６１の内部に配された弾性部材６２とを備える。保持溝６１は、連動部材７が位置する側（つまり回転体３の径方向内側）に向けて開口しており、この開口部分を通じて球体５が出入り自在である。弾性部材６２は、球体５を螺旋溝４に向けて（つまり回転体３から径方向内側に離れる向きに）押し付ける部材であり、例えば圧縮状態のコイルばねで構成されている。
【００３４】
（カバー）
カバー９は、回転体３（特に開閉表示部３５）を覆うように、駆動部１６のケース１６１の頂部に固定されている。図３に示すように、カバー９は、覗き窓９５を複数有する。第１実施形態の開閉表示装置２において、覗き窓９５は三つであるが、一つ、二つ又は四つ以上でもよい。三つの覗き窓９５は、カバー９の周方向に一定距離をあけて設けられている。
【００３５】
各覗き窓９５は、回転体３の一部（より詳細には開閉表示部３５の一部）を外部から視認するための部分であり、空隙部分で構成されてもよいし、ガラス材等の透明部材で構成されてもよい。各覗き窓９５は、カバー９を構成する頂板９１と側周板９２の両者に跨るように形成されているが、カバー９の頂板９１にだけ形成されてもよいし、側周板９２にだけ形成されてもよし、あるいは頂板９１と側周板９２にそれぞれ独立して形成されてもよい。
【００３６】
第１実施形態の開閉表示装置２においては、回転体３の回転位置に対応して（つまり弁棒１１及び連動部材７の軸方向のスライド位置に対応して）、開閉表示部３５のうち覗き窓９５と対向する領域が、切り替わる。開閉表示部３５は、「ＯＰＥＮ」の文字が付された開表示の領域３５１と、「ＣＬＯＳＥ」の文字が付された閉表示の領域３５２とを含む。
【００３７】
図２に示すように、弁棒１１及び連動部材７のスライド位置が、バルブ１の流路１４を閉弁する位置にあるときには、開閉表示部３５のうち閉表示の領域３５２が、覗き窓９５と対向して位置する（図３参照）。弁棒１１及び連動部材７のスライド位置が、バルブ１の流路１４を開弁する位置にあるときには、開閉表示部３５のうち開表示の領域３５１が、覗き窓９５と対向して位置する。
【００３８】
このように、第１実施形態の開閉表示装置２は、各覗き窓９５を通じて外部から視認可能な領域が、開表示の領域３５１と開表示の領域３５１との間で自動的に切り替わるように構成されている。
【００３９】
上記構成の開閉表示装置２を備えるバルブ１では、作業者がバルブ１の開閉状態を容易に、かつ確実に視認することができる。例えば、バルブ１が閉弁されているときに、バルブ１の駆動部１６が動作して弁棒１１が軸方向の開弁側（つまりバルブ本体１３から離れる側）に所定距離だけスライド移動すると、連動部材７が軸方向の開弁側に所定距離だけスライド移動する。回転体３は、螺旋溝４とこれに嵌る一対の球体５とを介して、所定の角度だけ軸まわりに回転する。これに伴い、覗き窓９５を通じて外部から視認される領域が、閉表示の領域３５２から開表示の領域３５１に切り替えられる。
【００４０】
一方、バルブ１が開弁されているときに、弁棒１１が軸方向の閉弁側（つまりバルブ本体１３に近づく側）に所定距離だけスライド移動すると、連動部材７が軸方向の閉弁側に所定距離だけスライド移動する。回転体３は、螺旋溝４とこれに嵌る一対の球体５とを介して、所定の角度だけ軸まわりに回転する。ここでの回転は、バルブ１が閉弁するときの回転とは逆方向の回転である。回転体３の回転移動に伴い、覗き窓９５を通じて外部から視認される領域は、開表示の領域３５１から閉表示の領域３５２に切り替えられる。
【００４１】
［第２実施形態］
第２実施形態の開閉表示装置２を備えたバルブ１について、図４に基づいて説明する。以下の説明において、第１実施形態と同様の機能を有する構成については同一符号を付して詳しい説明を省略し、第１実施形態とは異なる特徴について詳細に説明する。
【００４２】
第２実施形態の開閉表示装置２では、螺旋溝４が設けられる部材が、第１実施形態とは相違している。図４に示すように、複数の球体５の一部が嵌り込む螺旋溝４は、回転体３の内周面（より詳細には回転本体３２の内周面）に、形成されている。
【００４３】
螺旋溝４との間で球体５を保持する球体保持部６は、連動部材７に設けられている。球体保持部６は、棒状の連動部材７のうち、ケース１６１の外側に突出し得る部分に、設けられている。球体保持部６は、複数の球体５（第一球体５１と第二球体５２）のそれぞれの一部が嵌るように形成された保持溝６１と、保持溝６１の内部に配された弾性部材６２とを備える。
【００４４】
保持溝６１は、連動部材７の一部を径方向に貫通する溝である。一直線状である保持溝６１の第一端側に、第一球体５１の一部が嵌り、保持溝６４の第二端側に、第二球体５２の一部が嵌る。第一球体５１は、保持溝６１の第一端の開口を通じて出入り自在であり、第二球体５２は、保持溝６１の第二端の開口を通じて出入り自在である。
【００４５】
弾性部材６２は、第一球体５１と第二球体５２をそれぞれ螺旋溝４の対応する部分に向けて（つまり連動部材７から径方向外側に離れる向きに）押し付ける部材である。弾性部材６２は、圧縮状態のコイルばねであり、弾性部材６２の第一端部に第一球体５１が押し当たり、弾性部材６２の第二端部に第二球体５２が押し当たるように構成されている。
【００４６】
第２実施形態の開閉表示装置２を備えるバルブ１においても、バルブ１の駆動部１６が動作して弁棒１１と連動部材７が軸方向にスライド移動すると、回転体３は、螺旋溝４とこれに嵌る一対の球体５とを介して、所定の角度だけ軸まわりに回転する。これに伴い、覗き窓９５を通じて外部から視認される領域が、閉表示の領域と開表示の領域との間で切り替えられる。したがって、作業者はバルブ１の開閉状態を容易に、かつ確実に視認することができる。
【００４７】
［第３実施形態］
第３実施形態の開閉表示装置２を備えたバルブ１について、図５に基づいて説明する。以下の説明において、第１実施形態と同様の機能を有する構成については同一符号を付して詳しい説明を省略し、第１実施形態と異なる特徴について詳細に説明する。
【００４８】
（バルブの全体構造）
バルブ１は、手動式の高圧用玉形弁である。バルブ１は、弁棒１１と、弁棒１１の第一端部に連結された弁体１２と、弁体１２が移動自在に収容されたバルブ本体１３とを備える。弁体１２は、弁棒１１の軸まわりの回転に連動して軸方向にスライド移動するように構成されている。バルブ本体１３の流路１４は、弁体１２のスライド移動に伴って開閉される。
【００４９】
バルブ１は、弁棒１１が軸まわりに回転自在に収容される筒部材１５と、弁棒１１を手動で回転させるためのハンドル１７とを、更に備える。
【００５０】
（開閉表示装置）
開閉表示装置２は、筒部材１５の外周側に一体に組み付けられている。開閉表示装置２は、弁棒１１の回転に連動して軸方向にスライド移動する連動部材７と、連動部材７を囲むように配置された環状の回転体３と、回転体３を回転自在に支持する支持機構８と、連動部材７の外周面に形成された螺旋溝４と、螺旋溝４のうち互いに異なる箇所に嵌るように配された複数の球体５と、回転体３の内周側の部分に設けられた複数の球体保持部６と、回転体３を覆うカバー９とを備える。
【００５１】
以下において、開閉表示装置２が備える各構成について、順に詳述する。
【００５２】
連動部材７は、ハンドル１７の軸部１７５の外周面と噛み合うように連結された環状の部材である。連動部材７の内周面の一部は、筒部材１５の端部１５５の外周面に係止しており、これにより、筒部材１５に対する連動部材７の軸方向のスライド移動は許容され、筒部材１５に対する軸まわりの回転は規制されている。
【００５３】
連動部材７は、ハンドル１７の軸部１７５と筒部材１５を囲むように位置し、ハンドル１７及び弁棒１１の回転と連動して、軸方向にスライド移動するように構成されている。
【００５４】
回転体３は、環状の連動部材７の外周側に、回転自在に組み付けられている。回転体３の外周面には、開閉表示部３５が設けられている。開閉表示部３５には、バルブ１の開閉状態を視覚的に示すための適宜の表示が設けられている。ここでの表示は、一例として「ＯＰＥＮ」「ＣＬＯＳＥ」の文字であるが、「閉」「開」等の他の文字でもよいし、記号、図形、色等の他の表示を用いることも可能である。
【００５５】
支持機構８は、筒部材１５の外周面に固定された環状のカバー９と、カバー９の一部９１と回転体３との間に回転自在に配されたボール８２と、カバー９の別部分９２と回転体３との間に回転自在に配されたボール８３と、ボール８３を回転体３に向けて付勢する弾性体８４とを備える。カバー９の一部９１は、カバー９のうち軸方向の開弁側（言い換えればバルブ本体１３から離れる側）の端部である。カバー９の別部分９２は、カバー９のうち軸方向の閉弁側（言い換えればバルブ本体１３に近づく側）の端部である。
【００５６】
ボール８２は、回転体３の周方向に距離をあけて複数配されている。ボール８３とこれを付勢する弾性体８４との組は、回転体３の周方向に距離をあけて複数組設けられている。これら複数のボール８２，８３が転動することで、回転体３の円滑な回転が実現される。回転体３の回転に伴い、その外周面に設けられた開閉表示部３５は、弁棒１１及び連動部材７の軸まわりに回転する。
【００５７】
螺旋溝４は、環状である連動部材７の外周面に設けられており、球体５は、螺旋溝４のうち互いに異なる箇所にそれぞれ嵌るように、複数設けられている。
【００５８】
球体保持部６は、複数の球体５のそれぞれを螺旋溝４との間で弾性的に保持するように、回転体３の内周側の複数の部分に設けられている。各球体保持部６は、球体５の半部が嵌るように回転体３の内周側の部分に設けられた保持溝６１と、保持溝６１の内部に配された弾性部材６２とを備える。弾性部材６２は、球体５を螺旋溝４に向けて押し付ける圧縮状態のコイルばねである。
【００５９】
カバー９は、覗き窓９５を複数有する。複数の覗き窓９５は、カバー９の周方向に一定距離をあけて設けられている。各覗き窓９５を通じて、回転体３の一部（より詳細には開閉表示部３５の一部）が外部から視認される。
【００６０】
第３実施形態の開閉表示装置２においては、回転体３の回転位置に対応して（つまり弁棒１１の回転位置や連動部材７の軸方向のスライド位置に対応して）、開閉表示部３５のうち覗き窓９５と対向する領域が、切り替わる。開閉表示部３５は、「ＯＰＥＮ」等の文字が付された開表示の領域と、「ＣＬＯＳＥ」等の文字が付された閉表示の領域とを含む。
【００６１】
上記構成の開閉表示装置２を備えるバルブ１においても、作業者がバルブ１の開閉状態を容易に、かつ確実に視認することができる。例えば、バルブ１が閉弁されているときに、ハンドル１７を操作して弁棒１１を軸まわりに回転させると、弁体１２が軸方向の開弁側に移動して流路１４を開く。このとき、弁棒１１の回転に連動して、連動部材７が軸方向の開弁側に所定距離だけスライド移動する。回転体３は、螺旋溝４とこれに嵌る複数の球体５とを介して、所定の角度だけ軸まわりに回転する。これに伴い、開閉表示部３５のうち覗き窓９５を通じて外部から視認される領域が、閉表示の領域から開表示の領域に切り替えられる。
【００６２】
また、バルブ１が開弁されているときに、ハンドル１７を操作して弁棒１１を軸まわりに逆回転させると、弁体１２が軸方向の閉弁側に移動して流路１４を閉じる。このとき、弁棒１１の回転に連動して、連動部材７が軸方向の閉弁側に所定距離だけスライド移動する。回転体３は、螺旋溝４と複数の球体５とを介して、所定の角度だけ軸まわりに逆回転する。これに伴い、開閉表示部３５のうち覗き窓９５を通じて外部から視認される領域が、開表示の領域から閉表示の領域に切り替えられる。
【００６３】
［第４実施形態］
第４実施形態の開閉表示装置２を備えたバルブ１について、図６に基づいて説明する。以下の説明において、第３実施形態と同様の機能を有する構成については同一符号を付して詳しい説明を省略し、第３実施形態とは異なる特徴について詳細に説明する。
【００６４】
第４実施形態のバルブ１は、第３実施形態と同様に、手動式の高圧用玉形弁である。第４実施形態の開閉表示装置２では、螺旋溝４が設けられる部材が、第３実施形態とは相違している。図６に示すように、複数の球体５の一部が嵌り込む螺旋溝４は、環状である回転体３の内周面に、形成されている。
【００６５】
螺旋溝４との間で球体５を保持する球体保持部６は、環状である連動部材７の外周側に設けられている。球体保持部６は、対応する球体５を螺旋溝４に向けて（つまり連動部材７から径方向外側に離れる向きに）押し付けるように圧縮された弾性部材６２を有する。
【００６６】
第４実施形態の開閉表示装置２を備えるバルブ１においても、作業者がハンドル１７を手動で回転操作することによってバルブ本体１３を開閉弁することができ、これに伴って、カバー９の覗き窓９５を通じて外部から視認される領域が、閉表示の領域と開表示の領域との間で切り替えられる。したがって、作業者はバルブ１の開閉状態を容易に、かつ確実に視認することができる。
【００６７】
以上、本開示の開閉表示装置及びバルブを、添付図面に示す実施形態に基づいて説明したが、本開示の開閉表示装置及びバルブは、前記の実施形態に限定されない。本開示の意図する範囲内であれば、各実施形態において適宜の設計変更を行うことや、複数の実施形態の構成を適宜組み合わせて適用することが可能である。
【００６８】
一例として、第１実施形態と第２実施形態の開閉表示装置２では、棒状の連動部材７を弁棒１１とは別体の部材で構成しているが、連動部材７を弁棒１１の一部分で構成することも可能である。この場合、連動部材７の外周面に螺旋溝４が形成されていることは、弁棒１１の一部分の外周面に螺旋溝４が形成されていることと同義である。
【００６９】
［作用効果］
上記したように、第１及び第３実施形態の開閉表示装置２は、弁棒１１の動作に伴って流路１４を開閉するバルブ１に装備される装置である。開閉表示装置２は、弁棒１１に連動する連動部材７と、連動部材７を囲む位置に配された回転体３と、連動部材７の外周面に形成された螺旋溝４と、螺旋溝４に一部が嵌まり込むように配置された球体５と、球体５を螺旋溝４との間で保持するように回転体３に設けられた球体保持部６と、を備える。回転体３は、連動部材７の動作に伴って、球体５を介して回転するように構成されている。
【００７０】
したがって、第１及び第３実施形態の開閉表示装置２によれば、弁棒１１が動作してバルブ１が開閉弁されたときに、これに連動して回転体３が自動的に回転するので、作業者は、回転体３によってバルブ１の開閉状態を容易に視認することができる。バルブ１の開閉弁に連動して回転体３が回転する角度は、螺旋溝４のピッチにより自在に設定することが可能である。
【００７１】
また、第２及び第４実施形態の開閉表示装置２は、弁棒１１の動作に伴って流路１４を開閉するバルブ１に装備される装置である。開閉表示装置２は、弁棒１１に連動する連動部材７と、連動部材７を囲む位置に配された回転体３と、回転体３の内周面に形成された螺旋溝４と、螺旋溝４に一部が嵌まり込むように配置された球体５と、球体５を螺旋溝４との間で保持するように連動部材７に設けられた球体保持部６と、を備える。回転体３は、連動部材７の動作に伴って、球体５を介して回転するように構成されている。
【００７２】
したがって、第２及び第４実施形態の開閉表示装置２によれば、弁棒１１が動作してバルブ１が開閉弁されたときに、これに連動して回転体３が自動的に回転するので、作業者は、回転体３によってバルブ１の開閉状態を容易に視認することができる。
【００７３】
加えて、第１から第４実施形態の開閉表示装置２において、球体保持部６は、球体５を螺旋溝４に向けて押し付ける弾性部材６２を有する。
【００７４】
したがって、第１から第４実施形態の開閉表示装置２では、球体保持部６と螺旋溝４の間に球体５を弾性的に保持することができ、回転体３を、弁棒１１の動作に対して円滑に連動させることができる。
【００７５】
加えて、第１から第４実施形態の開閉表示装置２は、カバー９を更に備える。カバー９は、回転体３を覆う位置にあり、かつ回転体３の一部を視認するための覗き窓９５を有する。回転体３は、バルブ１の開閉状態を表示する開閉表示部３５を有する。開閉表示部３５は、回転体３の回転位置に対応して、覗き窓９５を通じて視認可能な領域が切り替わるように構成されている。
【００７６】
したがって、第１から第４実施形態の開閉表示装置２によれば、作業者は、覗き窓９５を通じてバルブ１の開閉状態を一層容易に視認することができる。
【００７７】
また、第１から第４実施形態のバルブ１は、上記の開閉表示装置２を備えたものであるから、これを操作する作業者は、回転体３によってバルブ１の開閉状態を容易に視認することができる。
【符号の説明】
【００７８】
１  バルブ
１１  弁棒
１４  流路
２  開閉表示装置
３  回転体
３５  開閉表示部
４  螺旋溝
５  球体
６  球体保持部
６２  弾性部材
７  連動部材
９  カバー
９５  覗き窓
【要約】
【課題】作業者がバルブの開閉状態を容易に視認することができる開閉表示装置及びバルブを提供する。
【解決手段】開閉表示装置２は、バルブ１の弁棒１１に連動する連動部材７と、連動部材７を囲む位置に配された回転体３と、連動部材７と回転体３の一方に形成された螺旋溝４と、螺旋溝４に一部が嵌まり込むように配置された球体５と、球体５を螺旋溝４との間で保持するように連動部材７と回転体３の他方に設けられた球体保持部６と、を備える。回転体３は、連動部材７の動作に伴って、球体５を介して回転する。
【選択図】図２【図１】
0006920764.tif 000002
【図２】
0006920764.tif 000003
【図３】
0006920764.tif 000004
【図４】
0006920764.tif 000005
【図５】
0006920764.tif 000006
【図６】
0006920764.tif 000007